(57)【要約】【課題】排液路の衛生維持を好適に実現しうる構造の鼻洗浄器を提供する。【解決手段】鼻洗浄器１００は、洗浄液１６０を貯留する貯留部１０と、洗浄液１６０を吐出する吐出口２１を先端に有する吐出ノズル２０と、吐出ノズル２０の外面の周囲を覆うカバー部３０と、を備える。カバー部３０は、開口３３と排液口３４とを有している。開口３３の内側に吐出ノズル２０の先端が配置されて、吐出ノズル２０の先端と開口３３の内周縁との間隙が排液流入口５１を構成している。カバー部３０の内面と吐出ノズル２０の外面との間隙は、排液流入口５１を通じて流入する排液が排液口３４に向けて流下する排液路５２を構成している。吐出ノズル２０の外面は、排液口３４に向けて下り傾斜している傾斜面（例えば、第１傾斜面６１及び第２傾斜面６２）を含んでいる。【選択図】図１
2017213280.tif 000002
【特許請求の範囲】
【請求項１】
洗浄液を貯留する貯留部と、
前記洗浄液を吐出する吐出口を先端に有する吐出ノズルと、
前記吐出ノズルの外面の周囲を覆うカバー部と、
を備え、
前記カバー部は、開口と排液口とを有し、
前記開口の内側に前記吐出ノズルの先端が配置されて、前記吐出ノズルの先端と前記開口の内周縁との間隙が排液流入口を構成しており、
前記カバー部の内面と前記吐出ノズルの外面との間隙は、前記排液流入口を通じて流入する排液が前記排液口に向けて流下する排液路を構成しており、
前記吐出ノズルの外面は、前記排液口に向けて下り傾斜している傾斜面を含んでいる鼻洗浄器。
【請求項２】
前記カバー部は、前記吐出ノズル又は前記貯留部に対して着脱可能に装着されている請求項１に記載の鼻洗浄器。
【請求項３】
前記傾斜面には、前記吐出ノズルにおける前記排液口側の部位に形成された第１傾斜面が含まれ、
前記第１傾斜面は、前記排液口を介して前記カバー部の外部空間に臨んでいる請求項１又は２に記載の鼻洗浄器。
【請求項４】
前記第１傾斜面の下端は、前記排液口の下縁よりも上側に配置されている請求項３に記載の鼻洗浄器。
【請求項５】
前記傾斜面には、前記吐出ノズルにおいて当該吐出ノズルを基準として前記排液口側とは反対側の部位に形成された第２傾斜面が含まれる請求項１から４のいずれか一項に記載の鼻洗浄器。
【請求項６】
前記吐出ノズルは、
基端部と、
前記基端部よりも上側に突出しているとともに先端に前記吐出口を有する突出部と、
を有し、
平面視において、前記第２傾斜面は、前記突出部の基端をＵ字状に取り囲んでいる請求項５に記載の鼻洗浄器。
【請求項７】
前記カバー部の天面部は、上に凸の曲面形状に形成されている請求項１から６のいずれか一項に記載の鼻洗浄器。
【請求項８】
前記貯留部は有底筒状であり、
前記カバー部は、前記貯留部の底部に対して直立している側周面部と、天面部と、を有し、
前記開口は、前記天面部と前記側周面部との交差部に配置されている請求項１から７のいずれか一項に記載の鼻洗浄器。
【請求項９】
前記排液口は、前記側周面部に形成されている請求項８に記載の鼻洗浄器。
【請求項１０】
前記貯留部は有底筒状であり、
前記吐出ノズルは前記貯留部の上端部から上方に向けて突出しており、
前記吐出口は、前記貯留部の軸心に対して一方側にずれて配置されており、
前記排液口は、前記貯留部の軸心に対して他方側にずれて配置されている請求項１から９のいずれか一項に記載の鼻洗浄器。
【請求項１１】
前記吐出ノズルは前記一方側に傾斜している請求項１０に記載の鼻洗浄器。
【請求項１２】
前記排液路の一部領域において、内部空間の平断面積が下方に向けて拡大している請求項１から１１のいずれか一項に記載の鼻洗浄器。
【請求項１３】
洗浄液を貯留する貯留部に装着して用いられるカバー付きノズルであって、
前記洗浄液を吐出する吐出口を先端に有する吐出ノズルと、
前記吐出ノズルの外面の周囲を覆うカバー部と、
を備え、
前記カバー部は、開口と排液口とを有し、
前記開口の内側に前記吐出ノズルの先端が配置されて、前記吐出ノズルの先端と前記開口の内周縁との間隙が排液流入口を構成しており、
前記カバー部の内面と前記吐出ノズルの外面との間隙は、前記排液流入口を通じて流入する排液が前記排液口に向けて流下する排液路を構成しており、
前記吐出ノズルの外面は、前記排液口に向けて下り傾斜している傾斜面を含んでいるカバー付きノズル。
【発明の詳細な説明】
【技術分野】
【０００１】
本発明は、鼻洗浄器及びカバー付きノズルに関する。
【背景技術】
【０００２】
鼻腔の洗浄に用いられる装置としては、例えば、特許文献１、２等に記載されているように、洗浄液を貯留する貯留部を圧搾するなどの操作を行うことにより、貯留部に装着されたノズルから洗浄液が吐出されるように構成されたものがある。
【０００３】
また、特許文献３には、鼻腔に挿入されるノズルと、ノズルの一側方に配置された気液排出通路と、を備える鼻噴射具が記載されている。
【先行技術文献】
【特許文献】
【０００４】
【特許文献１】特開２０００−３４２６５０号公報
【特許文献２】特開２０００−９３４８３号公報
【特許文献３】特開２００２−３０１１５１号公報
【発明の概要】
【発明が解決しようとする課題】
【０００５】
特許文献１、２に記載の装置は、洗浄液を鼻から喉へ通して口から吐くという使い方を想定したものと考えられる。しかし、使用者のなかには、このような使い方をできない、或いは、このような使い方にどうしても慣れることができない者も多い。そのような使用者が特許文献１、２に記載の装置を使用する場合、洗浄液は、該洗浄液を入れた鼻腔から排出されることとなる。
しかしながら、特許文献１、２の装置は、鼻腔から垂れる排液の排液路を有していないため、使いづらく、かつ、衛生面で改善の余地がある。
【０００６】
また、特許文献３の装置では、排液路（気液排出通路）の衛生維持に関し、改善の余地があると思われる。
【０００７】
本発明は、排液路の衛生維持を好適に実現しうる構造の鼻洗浄器、及び、カバー付きノズルに関する。
【課題を解決するための手段】
【０００８】
本発明は、洗浄液を貯留する貯留部と、前記洗浄液を吐出する吐出口を先端に有する吐出ノズルと、前記吐出ノズルの外面の周囲を覆うカバー部と、を備え、前記カバー部は、開口と排液口とを有し、前記開口の内側に前記吐出ノズルの先端が配置されて、前記吐出ノズルの先端と前記開口の内周縁との間隙が排液流入口を構成しており、前記カバー部の内面と前記吐出ノズルの外面との間隙は、前記排液流入口を通じて流入する排液が前記排液口に向けて流下する排液路を構成しており、前記吐出ノズルの外面は、前記排液口に向けて下り傾斜している傾斜面を含んでいる鼻洗浄器を提供する。
【０００９】
また、本発明は、洗浄液を貯留する貯留部に装着して用いられるカバー付きノズルであって、前記洗浄液を吐出する吐出口を先端に有する吐出ノズルと、前記吐出ノズルの外面の周囲を覆うカバー部と、を備え、前記カバー部は、開口と排液口とを有し、前記開口の内側に前記吐出ノズルの先端が配置されて、前記吐出ノズルの先端と前記開口の内周縁との間隙が排液流入口を構成しており、前記カバー部の内面と前記吐出ノズルの外面との間隙は、前記排液流入口を通じて流入する排液が前記排液口に向けて流下する排液路を構成しており、前記吐出ノズルの外面は、前記排液口に向けて下り傾斜している傾斜面を含んでいるカバー付きノズルを提供する。
【発明の効果】
【００１０】
本発明によれば、排液を排液路に回収して排液口から排出することができるため、必ずしも洗浄液を鼻から喉へ通して口から吐くという使い方をする必要が無く、多くの使用者にとって鼻洗浄器が使いやすいものとなる。しかも、回収した排液を排液口に向けてスムーズに排出できるため、排液路の衛生維持を好適に実現しうる。
【図面の簡単な説明】
【００１１】
【図１】実施形態に係る鼻洗浄器の側断面図である。
【図２】実施形態に係るカバー付きノズルを示す図であり、このうち（ａ）は側断面図、（ｂ）は分解図（側面図）である。
【図３】実施形態に係るカバー付きノズルの斜視図であり、このうち（ａ）は斜め前方から視た図、（ｂ）は斜め後方から見た図である。
【図４】実施形態に係るカバー付きノズルを示す図であり、このうち（ａ）は側面図、（ｂ）は背面図、（ｃ）は正面図、（ｄ）は平面図である。
【図５】実施形態に係る鼻洗浄器の吐出ノズルの斜視図であり、このうち（ａ）は斜め前方から視た図、（ｂ）は斜め後方から見た図である。
【図６】実施形態に係る鼻洗浄器の吐出ノズルを示す図であり、このうち（ａ）は側面図、（ｂ）は背面図、（ｃ）は正面図、（ｄ）は平面図である。
【図７】図７各図は、実施形態に係る鼻洗浄器に対する排液回収袋の装着態様の例を示す図である。
【図８】実施形態に係る鼻洗浄器の使用状態を示す図である。
【図９】図９各図は、変形例に係る鼻洗浄器を示す側断面図である。
【図１０】他の変形例に係る鼻洗浄器を示す平面図である。
【発明を実施するための形態】
【００１２】
以下、本発明の好ましい実施形態について、図面を用いて説明する。なお、すべての図面において、同様の構成要素には同一の符号を付し、重複する説明は適宜に省略する。
【００１３】
先ず、図１から図８を用いて実施形態に係る鼻洗浄器１００及びカバー付きノズル１５０を説明する。
本明細書においては、説明を簡単にするため、鼻洗浄器１００及びカバー付きノズル１５０において、鼻洗浄器１００の使用時に使用者の正面側となる方向を前方、鼻洗浄器１００の使用時に使用者の手前側となる方向を後方といい、前方を向いたときの左側を左方、前方を向いたときの右側を右方ということにする。すなわち、図１において、左側が前方、右側が後方、紙面手前側が左方、紙面奥側が右方である。また、鼻洗浄器１００において、貯留部１０側が下方、吐出ノズル２０側が上方である。
【００１４】
図１に示すように、本実施形態に係る鼻洗浄器１００は、洗浄液１６０を貯留する貯留部１０と、洗浄液１６０を吐出する吐出口２１を先端２５に有する吐出ノズル２０と、吐出ノズル２０の外面の周囲を覆うカバー部３０と、を備えている。
カバー部３０は、吐出ノズル２０又は貯留部１０に対して着脱可能に装着されている。本実施形態の場合、カバー部３０は、吐出ノズル２０に対して着脱可能に装着されて、吐出ノズル２０の外面の周囲を覆う。
カバー部３０は、開口３３と排液口３４とを有している。
開口３３の内側に吐出ノズル２０の先端２５が配置されて、吐出ノズル２０の先端２５と開口３３の内周縁との間隙が排液流入口５１を構成している。
ここで、開口３３の内側に吐出ノズル２０の先端２５が配置されているとは、流路２９の先端部における軸心方向に開口３３及び先端２５を視たときに（換言すれば、流路２９の先端部における軸心方向にて開口３３及び先端２５から離間した位置から開口３３及び先端２５を視たときに）、開口３３の内側に先端２５が配置されていることを意味する。なお、先端２５は、開口３３よりもカバー部３０の外部側に配置されていてもよいし（吐出ノズル２０が開口３３から若干突出していてもよいし）、内部側に配置されていてもよいし、カバー部３０の厚みの範囲内において当該カバー部３０の外面と内面との間に位置していてもよい。
また、カバー部３０の内面と吐出ノズル２０の外面との間隙は、排液流入口５１を通じて流入する排液が排液口３４に向けて流下する排液路５２を構成している。なお、洗浄液１６０の排液は、排液口３４を介して、カバー部３０の外部に排出される。
吐出ノズル２０の外面は、排液口３４に向けて下り傾斜している傾斜面（例えば、第１傾斜面６１及び第２傾斜面６２）を含んでいる。
【００１５】
図２から図４各図に示すように、本実施形態に係るカバー付きノズル１５０は、洗浄液１６０を貯留する貯留部１０に装着して用いられるカバー付きノズル１５０であって、上述の吐出ノズル２０と、上述のカバー部３０と、を備えて構成されている。
すなわち、鼻洗浄器１００の構成のうち、貯留部１０を除く部分によって、カバー付きノズル１５０が構成されている。
【００１６】
図１に示すように、貯留部１０には、洗浄液１６０が充填されている。洗浄液１６０は、特に限定されないが、例えば、食塩を含有する弱酸性のものであることが好ましい。より詳細には、貯留部１０内には、精製水、塩化ナトリウム、グリセリン、香料及び塩化ベンザルコニウムを混合することにより得られた溶液が充填されている。
【００１７】
貯留部１０の形状は特に限定されないが、本実施形態の場合、貯留部１０は、有底筒状に形成されている。
より詳細には、貯留部１０は、筒状の胴体部１１と、胴体部１１の下端を閉塞している底部１２と、胴体部１１の上側に連接されている肩部１３と、肩部１３の上側に連接されている口頸部１４と、を備えて構成されている。
肩部１３の平断面積は、当該肩部１３の下端から上端に向けて徐々に又は段階的に縮小している。
口頸部１４は、円筒形に形成されている。口頸部１４の外周面にはネジ山が形成されている。すなわち、口頸部１４は、雄ネジを構成している。
なお、胴体部１１及び肩部１３の平断面形状は、特に限定されないが、例えば、円形、楕円形、四角形等にすることができる。
【００１８】
貯留部１０を水平な載置面上に載置したときには、底部１２が載置面に当接した状態で、貯留部１０、ひいては鼻洗浄器１００の全体が自立するようになっていることが好ましい。
ここで、口頸部１４の中心軸が貯留部１０の軸心ＡＸであるとする。本実施形態の場合、貯留部１０を水平な載置面上に載置したときに、軸心ＡＸは鉛直方向に延在するようになっている。
【００１９】
本実施形態の場合、貯留部１０は、スクイズボトルであり、圧搾操作によって、内部の洗浄液を吐出口２１から吐出することができるようになっている。したがって、貯留部１０は、圧搾操作によって変形する程度の可撓性の材料により構成されている。
【００２０】
図５及び図６各図に示すように、吐出ノズル２０は、基端部２２と、基端部２２よりも上側に突出しているとともに先端２５に吐出口２１を有する突出部２４と、を有している。
図１及び図２（ａ）に示すように、吐出ノズル２０は、全体が筒状（管状）に形成されており、したがって、基端部２２及び突出部２４はそれぞれ筒状（管状）に形成されている。
図１に示すように、基端部２２は、口頸部１４に装着される装着部２３を含んでいる。装着部２３は、円筒状に形成されており、基端部２２の下部を構成している。装着部２３の内周面には、口頸部１４の外周面のネジ山と螺合するネジ山が形成されている。これにより、装着部２３は、口頸部１４と螺合する雌ネジを構成している。
装着部２３が口頸部１４と螺合することによって、吐出ノズル２０が貯留部１０に対して着脱可能に装着されている。装着部２３と口頸部１４とが螺合した状態において、装着部２３と口頸部１４とが相互に気密に密着するようになっている。
なお、貯留部１０に対する吐出ノズル２０の装着方法は、螺合による方法に限らず、従って、口頸部１４及び装着部２３には、ネジ山が形成されていなくても良い。例えば、吐出ノズル２０を貯留部１０に対して嵌合により装着するようになっていても良い。
【００２１】
吐出ノズル２０が貯留部１０に装着された状態において、吐出ノズル２０は貯留部１０の上端部から上方に向けて突出している。
吐出口２１は、貯留部１０の軸心ＡＸに対して一方側にずれて配置されており、排液口３４は、貯留部１０の軸心ＡＸに対して他方側にずれて配置されている。すなわち、軸心ＡＸを基準としたときの吐出口２１に対する排液口３４の位置が、軸心ＡＸを基準として吐出口２１に対して１８０度対向した位置を基準として±９０度以内の範囲内の位置となっている。同様に、軸心ＡＸを基準としたときの排液口３４に対する吐出口２１の位置が、軸心ＡＸを基準として排液口３４に対して１８０度対向した位置を基準として±９０度以内の範囲内の位置となっている。
このように、貯留部１０は有底筒状であり、吐出ノズル２０は口頸部１４から上方に向けて突出しており、吐出口２１は、貯留部１０の軸心ＡＸに対して一方側にずれて配置されており、排液口３４は、貯留部１０の軸心ＡＸに対して他方側にずれて配置されている。
より詳細には、例えば、吐出口２１は、貯留部１０の軸心ＡＸから後方（軸心ＡＸ及び左右方向に対して直交する方向のうち後方）にずれた位置に配置されている。一方、カバー部３０に形成された排液口３４は、軸心ＡＸから前方（軸心ＡＸ及び左右方向に対して直交する方向のうち前方）にずれた位置に配置されている。したがって、例えば、吐出口２１と排液口３４とは、軸心ＡＸを基準として互いに１８０度対向した位置に配置されている。
【００２２】
突出部２４は、後方に向けて傾斜している。すなわち、突出部２４は、軸心ＡＸに対して一方側に傾斜している。これにより、吐出口２１が貯留部１０の軸心ＡＸに対して一方側にずれて配置された構造が好適に実現されている。
【００２３】
また、突出部２４は、先端２５に向かって先細に形成されている。したがって、吐出ノズル２０は、先端２５に向かって先細に形成されている。これにより、吐出ノズル２０に対するカバー部３０の装着が容易となるとともに、吐出ノズル２０が基端側に向けて太くなる裾広がりの形状となることにより当該吐出ノズル２０の構造的強度を十分に確保することができる。
【００２４】
図５及び図６各図に示すように、基端部２２の外周面（基端部２２の外面のうち基端部２２の上面である第２傾斜面６２を除く部分、つまり基端部２２の側周面）は、円筒を当該円筒の軸心に対して斜めに切断したような形状となっている。
基端部２２の下部には、当該基端部２２を周回している環状の段差部２７が形成されている。基端部２２において、段差部２７よりも下側の部分は、段差部２７よりも上側の部分と比べて僅かに大径に形成されている。
なお、平面視において、突出部２４（突出部２４は先端２５を含む）の外形線は、基端部２２（基端部２２は装着部２３を含む）の外形線の内側に収まっているか、又は、基端部２２の外形線に内接している（図６（ｄ））。
【００２５】
吐出ノズル２０には、当該吐出ノズル２０を上下に貫通している流路２９が形成されている。吐出口２１は、流路２９の先端である。
吐出ノズル２０の先端部よりも下側の部分は、部分的に二重管構造となっており、当該二重管構造のうち内側の管状部は、送液チューブ９０（図１）を保持するチューブ保持スリーブ２６である。
チューブ保持スリーブ２６の内腔により、流路２９の下部が構成されている。
チューブ保持スリーブ２６の下側には、貯留部１０内の洗浄液１６０を流路２９に送液するための送液チューブ９０が連接されている。送液チューブ９０の下端は、貯留部１０の内部空間の下端近傍に位置している。チューブ保持スリーブ２６に対する送液チューブ９０の接続は、例えば、チューブ保持スリーブ２６の下端部に対して送液チューブ９０の上端部が外嵌又は内嵌（嵌入）されることによって実現されている。
【００２６】
貯留部１０内の洗浄液１６０を吐出口２１から吐出するためには、貯留部１０の胴体部１１を圧搾する操作を行う。これにより、貯留部１０内の洗浄液１６０が加圧されるため、該洗浄液１６０が送液チューブ９０の内部と、流路２９と、をこの順に通って、吐出口２１から吐出される。
【００２７】
カバー部３０は、鼻洗浄器１００を鼻にあてがう際に鼻（鼻腔の内壁等）を保護する機能、及び、鼻洗浄器１００を安定的に鼻にあてがうことを容易にする機能を有し、かつ、鼻腔からの排液を流下させる排液路５２の外壁を構成する。
上述のように、カバー部３０は開口３３と排液口３４とを有している。
開口３３の形状は特に限定されないが、例えば、円形、楕円形などにすることができる。ただし、開口３３の形状は、その他の形状であってもよい。本実施形態の場合、図４（ｄ）に示すように、開口３３は略円形である。
また、排液口３４の形状は特に限定されないが、例えば、円形、楕円形などにすることができる。ただし、排液口３４の形状は、その他の形状であってもよい。本実施形態の場合、図４（ｂ）に示すように、排液口３４は略円形である。
【００２８】
本実施形態の場合、カバー部３０の天面部３２は、上に凸の曲面形状に形成されている。
ここで、鼻洗浄器１００を吐出ノズル２０の先端部の軸方向に視たときに、カバー部３０の外面が開口３３を取り囲んでいる。このため、図８に示すように吐出口２１が鼻腔２０２を向くように鼻洗浄器１００を鼻にあてがった際に、鼻（ひいては顔）における鼻孔２０１の周囲の部分に対して、カバー部３０の外面が突き当たる。よって、吐出ノズル２０の先端部が鼻腔２０２内の奥深くに差し込まれてしまうことを抑制できるとともに、カバー部３０を鼻（ひいては顔）における鼻孔２０１の周囲の部分に対して安定的に接触させることができる。
また、特に、カバー部３０の天面部３２が上に凸の曲面形状に形成されているため、鼻（ひいては顔）における鼻孔２０１の周囲の部分に対する天面部３２の触感が柔らかくなるため、鼻洗浄器１００を鼻にあてがった際における不快感を低減することができる。
【００２９】
図２（ａ）に示すように、吐出ノズル２０の先基端方向Ｄ１において、吐出口２１はカバー部３０の開口３３の近傍に配置されている（例えば、先基端方向Ｄ１における吐出口２１と開口３３との互いの位置ずれ量の範囲は、例えば、５ｍｍ以内となっている）。
これにより、吐出ノズル２０の先端部が鼻腔２０２内の奥深くに差し込まれてしまうことをより確実に抑制できるとともに、鼻洗浄器１００を鼻にあてがう際の心理的抵抗を抑制でき、また吐出口２１から鼻腔２０２内に向けて好適に洗浄液１６０を吐出すること及び排液の回収をスムーズに行うことができるようになっている。
ここで、先基端方向Ｄ１は、例えば、吐出口２１の近傍における流路２９の軸心方向とすることができる。
先基端方向Ｄ１における吐出口２１と開口３３との互いの位置ずれ量の範囲は、特に限定されず、上述のように例えば５ｍｍ以内とすることができるし、１ｍｍ以内としてもよい。吐出口２１は、開口３３よりもカバー部３０の外部側に配置されて（吐出ノズル２０が開口３３から突出して）いてもよいし、内部側に配置されていてもよい。
先基端方向Ｄ１における吐出口２１と開口３３との互いの位置ずれ量の範囲は、開口３３の半径以下とすることが好ましい。
【００３０】
カバー部３０が吐出ノズル２０に対して被せられることによって、カバー部３０が吐出ノズル２０に対して着脱可能に装着されている。
より詳細には、カバー部３０の下部（後述する側周面部３１）は、円筒状に形成されており、カバー部３０の下部の内径は、基端部２２における段差部２７よりも上側の部分の外径と同等に設定されている。そして、カバー部３０が吐出ノズル２０に対して被せられることによって、基端部２２における段差部２７よりも上側の部分がカバー部３０の下部に対して嵌入することで、カバー部３０が吐出ノズル２０に装着されている。
なお、カバー部３０の下部の内径は、基端部２２における段差部２７よりも上側の部分の外径と同等であるため、カバー部３０が吐出ノズル２０に装着された状態において、カバー部３０の下部の内面が、基端部２２の外周面に対して密着した状態となる。よって、カバー部３０の内面と吐出ノズル２０の外面との間隙により構成される排液路５２は、カバー部３０の内部空間のうち、基端部２２よりも上側の部分により構成される。
【００３１】
図４（ａ）に示すように、カバー部３０の天面部３２を含む上端部においては、前側よりも後側の方が高くなっており、カバー部３０の外周面及び内周面の形状が、開口３３に向けて細くなる先細形状となっている。
これにより、カバー部３０の天面部３２を含む上端部の内部空間の断面積は、吐出ノズル２０の突出部２４の基端側に向けて拡大している。
よって、排液路５２の一部領域において、当該排液路５２の内部空間の平断面積が下方に向けて拡大している。これにより、排液路５２における排液のスムーズな流下を実現できるようになっている。
【００３２】
カバー部３０が吐出ノズル２０に装着された状態で、カバー部３０の下端は、吐出ノズル２０の段差部２７に対して周回状に当接している。
なお、カバー部３０の下端部には、例えば、環状のフランジ部３５が形成されている。フランジ部３５は、カバー部３０におけるフランジ部３５よりも上側の部分よりも、径方向外方に向けて僅かに張り出している。
【００３３】
より詳細には、カバー部３０は、貯留部１０の底部１２に対して直立している側周面部３１と、天面部３２と、を有している。側周面部３１は円筒状に形成されており、天面部３２は、側周面部３１の上側に連接されて、側周面部３１の上端を閉塞している。
開口３３は、天面部３２と側周面部３１との交差部に配置されている。より詳細には、開口３３は、天面部３２の後端位置、且つ、側周面部３１の上端位置に配置されている。
排液口３４は、側周面部３１に形成されている。より詳細には、排液口３４は、側周面部３１の前部の下部に配置されている。
【００３４】
また、図２（ａ）に示すように、カバー部３０の下端部の内面には、位置決め用凹部３６が形成されている。位置決め用凹部３６は、上下に延在する溝状に形成されている。
一方、吐出ノズル２０の基端部２２における段差部２７よりも上側の部分の外面には、上下に延在する位置決め用リブ２８が形成されている。
位置決め用凹部３６と位置決め用リブ２８とは、相互に嵌合可能な形状に形成されている。
このため、位置決め用凹部３６を位置決め用リブ２８に対して位置合わせしてカバー部３０を吐出ノズル２０に被せることにより、位置決め用凹部３６に位置決め用リブ２８が嵌合する。これにより、カバー部３０が吐出ノズル２０に対して相対的に回転することが規制され、開口３３に対する先端２５及び吐出口２１の位置関係、並びに、排液口３４に対する第１傾斜面６１（後述）の位置関係などが一定に維持されるようになっている。
すなわち、位置決め用凹部３６と位置決め用リブ２８とが相互に嵌合するように、カバー部３０を吐出ノズル２０に装着した状態で、カバー部３０の開口３３の内側に吐出ノズル２０の先端２５が配置されるとともに、後述する第１傾斜面６１が排液口３４を介してカバー部３０の外部に臨んだ状態となる。
なお、カバー部３０の外面において位置決め用凹部３６と対応する部位（裏に位置決め用凹部３６が存在する部分）は、外側に向けて突出している（図３（ｂ）等）。これにより、カバー部３０の外側から位置決め用凹部３６の位置を容易に認識できるようになっている。
【００３５】
本実施形態の場合、図１、図２（ａ）、図３（ｂ）、図４（ｃ）及び図４（ｄ）等に示すように、排液流入口５１は、吐出ノズル２０の先端２５を周回して取り囲んでいる。すなわち、排液流入口５１は、吐出ノズル２０の先端２５の全周囲を３６０度取り囲んでいる。換言すれば、流路２９の先端部における軸心方向に先端２５及び開口３３を視たときに、先端２５の外周面は、その全周に亘り、開口３３の内周縁から離間している。
例えば、吐出口２１と開口３３とは互いに同心円状に配置されている。また、例えば、先端２５の外周面と開口３３とは互いに同心円状に配置されている。
開口３３の内周縁と先端２５の外面との間の間隙である排液流入口５１を介して、排液路５２が外部に開放しているため、吐出口２１から吐出された洗浄液１６０の排液を、自重落下（自重流下）によって、排液流入口５１を介して排液路５２内にスムーズに回収することができる。
つまり、使用者の操作に応じて鼻洗浄器１００の吐出ノズル２０の吐出口２１から一の鼻孔に対して洗浄液１６０が吐出された場合に、当該一の鼻孔からの洗浄液１６０の回収及び排液を鼻洗浄器１００が円滑に行うため、使用者が鼻洗浄器１００を使用する際における洗浄液１６０の回収及び排液が簡便となる。
特に、排液路５２が先端２５を周回して取り囲んでいることによって、排液の自重流下による回収を、よりスムーズに行うことができる。
【００３６】
ここで、吐出ノズル２０の外面とは、吐出ノズル２０の表面のうち、吐出ノズル２０の外部から観察可能な表面、すなわち外向きの表面である。本実施形態の場合、吐出ノズル２０の外面には、突出部２４の外周面（後述する第１傾斜面６１を含む）、基端部２２の上面（後述する第２傾斜面６２）及び基端部２２の外周面（側周面）が含まれる。
【００３７】
上述のように、吐出ノズル２０の外面は、排液口３４に向けて下り傾斜している傾斜面を含んでいる。すなわち、傾斜面は、後方から前方に向けて下り傾斜している。これにより、排液路５２内を流下する排液が、排液口３４に向けてスムーズに流下できるようになっており、排液路５２における排液の滞留が抑制される。よって、排液路５２の衛生維持を好適に実現することができる。
【００３８】
この傾斜面には、吐出ノズル２０における排液口３４側の部位に形成された第１傾斜面６１が含まれている。これにより、排液路５２のうち、吐出ノズル２０を基準として排液口３４側の領域（吐出ノズル２０の前方の領域）における排液の滞留が抑制されるようになっている。よって、排液路５２のうち、吐出ノズル２０を基準として排液口３４側の領域の衛生維持を好適に実現することができる。
【００３９】
第１傾斜面６１は、排液口３４を介してカバー部３０の外部空間に臨んでいる。これにより、排液口３４から拭き取り用の布や紙などを差し入れて第１傾斜面６１の汚れを拭き取るといった作業を容易に行うことができるようになっている。
第１傾斜面６１が排液口３４を介してカバー部３０の外部空間に臨んでいるということは、いずれかの方向から視たときに、カバー部３０の外部から排液口３４を介して第１傾斜面６１の少なくとも一部分を視認できることを意味する。
本実施形態の場合、図４（ｂ）に示すように、吐出ノズル２０及びカバー部３０を背面視した際に、排液口３４を介して第１傾斜面６１を視認できるようになっている。
【００４０】
第１傾斜面６１は、当該第１傾斜面６１の上部を構成する上部傾斜面６１ａと、当該第１傾斜面６１の下部を構成する下部傾斜面６１ｂと、を含んで構成されている。
本実施形態の場合、上部傾斜面６１ａは、吐出ノズル２０の突出部２４の上部の外周面における前面側の部分である。なお、吐出ノズル２０の突出部２４の上部は、例えば、当該突出部２４の基端側に向けて拡径する円錐状に形成されている。
下部傾斜面６１ｂは、上部傾斜面６１ａの下方に連なっている。下部傾斜面６１ｂの詳細な形状の一例について説明すると、図６（ｂ）に示すように、当該下部傾斜面６１ｂの上部は、下方に向けて徐々に幅広に形成されており、当該下部傾斜面６１ｂの下部は下に凸の半円状に形成されている。
また、下部傾斜面６１ｂは、上部傾斜面６１ａよりも幅広に（水平方向の幅が大きく）形成されている。したがって、下部傾斜面６１ｂは、上部傾斜面６１ａよりも広範囲に亘り洗浄液１６０を流下案内することができるようになっている。
また、下部傾斜面６１ｂは、例えば、凹曲面である。ただし、下部傾斜面６１ｂは平面であってもよいし、凸曲面であってもよい。
【００４１】
本実施形態の場合、下部傾斜面６１ｂが、排液口３４を介してカバー部３０の外部空間に臨んでいる。そして、図４（ｂ）に示すように吐出ノズル２０及びカバー部３０を背面視した際に、排液口３４を介して下部傾斜面６１ｂを視認できるようになっている。
より詳細には、水平方向における排液口３４の幅寸法と、水平方向における下部傾斜面６１ｂの寸法とが同等に設定されている。そして、図４（ｂ）に示すように吐出ノズル２０及びカバー部３０を背面視した際に、排液口３４の左右幅方向の全域に亘り、下部傾斜面６１ｂが存在している。
【００４２】
下部傾斜面６１ｂが凹曲面であることにより、下部傾斜面６１ｂとカバー部３０の内面との間のクリアランスを十分に確保できる。よって、排液口３４から拭き取り用の布や紙などを差し入れて下部傾斜面６１ｂの汚れを拭き取るといった作業をより容易に行うことができるようになっている。
【００４３】
また、図６（ａ）に示すように、上部傾斜面６１ａと下部傾斜面６１ｂとの境界において、第１傾斜面６１の傾斜角度が変化している。すなわち、上部傾斜面６１ａの傾斜角度よりも、下部傾斜面６１ｂの少なくとも上端部の傾斜角度が急峻になっている。よって、下部傾斜面６１ｂによる洗浄液１６０のスムーズな流下案内を実現できる。
【００４４】
ここで、第１傾斜面６１の少なくとも一部分が、軸心ＡＸよりも前方に配置されていればよい。本実施形態の場合、下部傾斜面６１ｂの全体が、軸心ＡＸよりも前方に配置されている。ただし、上部傾斜面６１ａの少なくとも一部分は、軸心ＡＸよりも後方に配置されている。
【００４５】
また、図４（ａ）、（ｂ）に示すように、第１傾斜面６１の下端６１ｃ（下部傾斜面６１ｂの下端でもある）は、排液口３４の下縁よりも上側に配置されている。これにより、第１傾斜面６１を伝って流下した排液を、スムーズに排液口３４を介して外部に排出することができるようになっている。
また、第１傾斜面６１の下端６１ｃの近傍に排液口３４が配置されていることが好ましい。
【００４６】
また、上記の傾斜面には、吐出ノズル２０において当該吐出ノズル２０を基準として排液口３４側とは反対側の部位に形成された第２傾斜面６２が含まれている。これにより、排液路５２のうち、吐出ノズル２０を基準として排液口３４側とは反対側の領域（吐出ノズル２０の後方の領域）における排液の滞留が抑制されるようになっている。よって、排液路５２のうち、吐出ノズル２０を基準として排液口３４側とは反対側の領域の衛生維持を好適に実現することができる。
ここで、第２傾斜面６２の少なくとも一部分が、軸心ＡＸよりも後方に配置されていればよい。
【００４７】
上述のように、吐出ノズル２０は、基端部２２と、基端部２２よりも上側に突出しているとともに先端２５に吐出口２１を有する突出部２４と、を有している。そして、平面視において、第２傾斜面６２は、突出部２４の基端をＵ字状に取り囲んでいる。
これにより、第２傾斜面６２は、排液路５２のうち、突出部２４の基端を基準として排液口３４側とは反対側の領域（突出部２４の基端の後方の領域）から、突出部２４の基端の左右両脇を迂回するようにして、排液を排液口３４側の領域（突出部２４の基端の前方の領域）に流下させることをスムーズになしうるようになっている。
【００４８】
なお、鼻洗浄器１００は、保管時（使用時以外のとき）に吐出口２１を閉塞するための栓４０を備えていることも好ましい。
栓４０の形状は特に限定されないが、一例として、図２（ａ）に示すように、栓４０は、吐出口２１から流路２９の先端部に嵌入される円柱状の嵌入部４３と、吐出口２１よりも大径の円柱状の大径部４１と、大径部４１よりも大径の円板状の摘まみ部４２と、を備える構造のものとすることができる。
嵌入部４３を吐出口２１から流路２９内に差し込むことにより、栓４０を吐出ノズル２０の先端部に装着し、吐出口２１を閉塞することができる。
【００４９】
ここで、開口３３の内径は、特に限定されないが、人間の鼻孔と略同径であるか、又は、人間の鼻孔よりもやや小さいことが好ましく、例えば、５ｍｍ以上１５ｍｍ以下とすることができる。
また、吐出ノズル２０の先端２５の外径は、開口３３よりも小さければ特に限定されないが、例えば、３ｍｍ以上１０ｍｍ以下とすることができる。
吐出口２１の内径は、特に限定されないが、例えば、１ｍｍ以上５ｍｍ以下とすることができる。
また、先端２５の外径と開口３３の内径との差は、例えば、２ｍｍ以上５ｍｍ以下とすることができる。
また、排液口３４の面積は、特に限定されないが、例えば、１ｃｍ２以上４ｃｍ２以下とすることができる。排液口３４の内径は、特に限定されないが、例えば、１０ｍｍ以上２０ｍｍ以下とすることができる。
【００５０】
鼻洗浄器１００を使用する際において、排液口３４からの排液は、例えば、ティッシュペーパー等の吸液具により吸液するようにしてもよいが、図７に示すように、排液口３４に排液回収袋７１を装着し、当該排液回収袋７１内に排液を回収するようにしてもよい。
図７（ａ）の例では、排液回収袋７１の口が排液口３４の全周を覆うようにして、排液回収袋７１の口の周囲縁部が粘着テープ等である固定テープ７２によってカバー部３０及び吐出ノズル２０の外面に対して貼り付け固定されている。
図７（ｂ）の例では、鼻洗浄器１００における開口３３よりも下側の部分のほぼ全体を、排液回収袋７１によって覆うようにして、排液回収袋７１の口の周囲縁部がカバー部３０の側周面部３１の周囲全周に対して貼り付け固定されている。
【００５１】
次に、図８を用いて、鼻洗浄器１００の使用方法の例を説明する。図８は、図７（ａ）の排液回収袋７１を具備するタイプを用いた例を示す。
【００５２】
先ず、貯留部１０内に洗浄液１６０が充填された鼻洗浄器１００を準備し、吐出口２１及び排液流入口５１が鼻腔２０２を向くようにして、カバー部３０を鼻孔２０１の周囲の部分に押し当てて密着させる。
ここで、カバー部３０の天面部３２が上に凸の曲面形状に形成されているとともに、天面部３２と側周面部３１との交差部に開口３３が配置されており、且つ、吐出ノズル２０の先基端方向Ｄ１において吐出口２１が開口３３の近傍に配置されている。このため、カバー部３０における開口３３の周囲の部分が鼻孔２０１の周囲に当たるため、吐出ノズル２０の先端２５が鼻腔２０２の奥深くまで入り込んでしまうことが抑制される。よって、鼻洗浄器１００の使用者の心理的な抵抗を軽減することができる。また、天面部３２が上に凸の曲面形状であることにより、カバー部３０における開口３３の周囲縁部を鼻孔２０１の周囲の部分に対して密着させやすい。
また、吐出ノズル２０が後方に傾斜しているため、貯留部１０を大きく傾けることなく、吐出口２１及び排液流入口５１を鼻腔２０２に向けることができる。
【００５３】
次に、貯留部１０を圧搾することにより、吐出口２１から洗浄液１６０を吐出させる。これにより、鼻腔２０２内部を洗浄液１６０により洗浄することができ、例えば、鼻孔２０１付近にトラップされている汚れを洗浄液１６０により洗い流したり、或いは、当該汚れを除去しやすくしたりすることができる。
ここで、貯留部１０を圧搾する力を調節したり、鼻洗浄器１００の姿勢を調節したりすることによって、吐出口２１から吐出される洗浄液の噴射角度や勢いを適宜調節することができる。
【００５４】
鼻腔２０２内に向けて噴射（吐出）された洗浄液１６０は、勢いが無くなると、重力に従って鼻腔２０２内を流下し、排液として、排液流入口５１を介して排液路５２内に回収される。このように、一の鼻孔２０１からの洗浄液１６０の吐出と、当該一の鼻孔２０１からの洗浄液１６０の回収及び排液とを、簡便且つ円滑に行うことが可能となっている。
排液路５２内に流入した（回収された）排液は、吐出ノズル２０の傾斜面（第２傾斜面６２及び第１傾斜面６１）等を伝うことにより、スムーズに排液口３４側に導かれる。よって、排液路５２内における排液の滞留が抑制され、排液を排液口３４からスムーズに排出することができる。
排液口３４から排出された排液７３は、例えば、排液口３４に装着された排液回収袋７１内に回収される。よって、排液口３４から排出された排液によって手や床などが汚れてしまうことを抑制できる。
なお、排液回収袋７１を用いる代わりに、排液口３４にティッシュペーパー等をあてがった状態で鼻洗浄器１００を使用することにより、排液をティッシュペーパー等に吸収させるようにしてもよい。
また、本実施形態に係る鼻洗浄器１００は、洗浄液を鼻から喉へ通して口から吐くという使い方もできる。
【００５５】
鼻洗浄器１００は、使用者の鼻腔２０２に限らず、使用者（介護者）による介護を受ける被介護者の鼻腔２０２の洗浄に用いることができる。この場合、特に、排液回収袋７１を用いて鼻洗浄器１００を使用することにより、使用者（介護者）の心理的負担も低減することができる。
【００５６】
また、カバー部３０を吐出ノズル２０に対して着脱可能であるため、カバー部３０及び吐出ノズル２０の洗浄が容易である。すなわち、鼻洗浄器１００の使用後は、カバー部３０を吐出ノズル２０から取り外すことにより、カバー部３０の内面や、第１傾斜面６１及び第２傾斜面６２を含む吐出ノズル２０の外面を容易に洗浄することができる。
【００５７】
以上のような実施形態によれば、鼻洗浄器１００は、吐出ノズル２０と、吐出ノズル２０に対して着脱可能に装着されて吐出ノズル２０の外面の周囲を覆うカバー部３０とを備え、カバー部３０は、開口３３と排液口３４とを有している。開口３３の内側に吐出ノズル２０の先端２５が配置されて、吐出ノズル２０の先端２５と開口３３の内周縁との間隙が排液流入口５１を構成している。カバー部３０の内面と吐出ノズル２０の外面との間隙は、排液流入口５１を通じて流入する排液が排液口３４に向けて流下する排液路５２を構成している。
よって、排液を排液路５２に回収して排液口３４から排出することができるため、必ずしも洗浄液１６０を鼻から喉へ通して口から吐くという使い方をする必要が無く、多くの使用者にとって鼻洗浄器１００が使いやすいものとなる。
更に、吐出ノズル２０の外面は、排液口３４に向けて下り傾斜している傾斜面を含んでいる。これにより、排液路５２内を流下する排液が、排液口３４に向けてスムーズに流下できるため、排液路５２における排液の滞留が抑制される。よって、排液路５２の衛生維持を好適に実現することができる。
また、カバー部３０を吐出ノズル２０に対して着脱可能であるため、カバー部３０及び吐出ノズル２０の洗浄が容易である。
【００５８】
本発明は上述の実施形態に限定されるものではなく、本発明の目的が達成される限りにおける種々の変形、改良等の態様も含む。
【００５９】
例えば、図９（ａ）及び（ｂ）にそれぞれ示される変形例に係る鼻洗浄器１００のように、吐出ノズル２０は、洗浄液１６０を貯留部１０側から吐出口２１側に向けて一方向に通過させる逆止弁８０を備えていることも好ましい。逆止弁８０としては、例えば、ダックビル弁、アンブレラバルブ、ボールチェックバルブ又はダイヤフラム式等を用いることができる。逆止弁８０は、図９（ａ）に示すように流路２９の内部に配置されていてもよいし、図９（ｂ）に示すように、吐出ノズル２０の先端２５を構成していてもよい。
吐出ノズル２０に逆止弁８０が設けられていることにより、排液が吐出ノズル２０内に逆流してしまうことを抑制できるため、衛生上好ましい。
なお、吐出ノズル２０に逆止弁８０が設けられている場合、貯留部１０を圧搾して洗浄液１６０を吐出した後、外気を貯留部１０内に給気できるように、鼻洗浄器１００は図示しない吸気機構を備えていることが好ましい。この給気機構は、例えば、装着部２３と口頸部１４との間に形成された溝により構成することができる。
【００６０】
また、上記においては、吐出口２１と開口３３とが互いに同心円状に配置されているとともに、先端２５の外周面と開口３３とが互いに同心円状に配置されている例を説明したが、吐出口２１は開口３３の中心からずれた位置に配置されていてもよいし、先端２５の外周面も開口３３の中心からずれた位置に配置されていてもよい。
【００６１】
また、上記においては、排液流入口５１が、吐出ノズル２０の先端２５を周回して取り囲んでいる例を説明したが、図１０に示す他の変形例に係る鼻洗浄器１００のように、吐出ノズル２０の先端２５が開口３３の内周縁に接していてもよい（排液流入口５１が吐出ノズル２０の先端２５を周回して取り囲んでいなくてもよい）。
【００６２】
また、上記においては、カバー部３０が吐出ノズル２０に対して着脱可能に装着される例を説明したが、カバー部３０は貯留部１０に対して着脱可能に装着されてもよい。
【００６３】
また、上記においては、吐出ノズル２０の傾斜の向きと、カバー部３０において排液口３４が形成されている部分の位置とが、軸心ＡＸを基準として互いに反対側となっている例を説明したが、排液口３４の配置は、上記の例に限らない。例えば、排液口３４は、吐出ノズル２０の傾斜の向きと同じ側、すなわちカバー部３０における後部（図１における右側部分）に配置されていてもよいし、カバー部３０における左部或いは右部に配置されていてもよい。
【００６４】
また、上記においては、カバー部３０の天面部３２が上に凸の曲面形状に形成されている例を説明したが、カバー部３０は、突出部２４よりもテーパー角度が大きい錐状に形成されていてもよい。
【００６５】
また、カバー部３０は、天面部３２がフラットな円筒形状（図２（ｂ）に相当する方向から視た形状が上下に長い長方形状）であってもよい。この場合も、カバー部３０の天面部３２と側周面との角部に開口３３が配置されていることにより、カバー部３０の外周面及び内周面の形状が、開口３３に向けて細くなる先細形状となる。
【００６６】
また、上記においては、貯留部１０を圧搾することによって、貯留部１０内の洗浄液１６０が貯留部１０から押し出される構成について説明したが、貯留部１０内の洗浄液１６０は、電動ポンプなどを含んで構成された図示しない吐出機構によって吐出されるようになっていてもよい。
【００６７】
上記実施形態は、以下の技術思想を包含する。
＜１＞洗浄液を貯留する貯留部と、前記洗浄液を吐出する吐出口を先端に有する吐出ノズルと、前記吐出ノズルの外面の周囲を覆うカバー部と、を備え、前記カバー部は、開口と排液口とを有し、前記開口の内側に前記吐出ノズルの先端が配置されて、前記吐出ノズルの先端と前記開口の内周縁との間隙が排液流入口を構成しており、前記カバー部の内面と前記吐出ノズルの外面との間隙は、前記排液流入口を通じて流入する排液が前記排液口に向けて流下する排液路を構成しており、前記吐出ノズルの外面は、前記排液口に向けて下り傾斜している傾斜面を含んでいる鼻洗浄器。
＜２＞前記カバー部は、前記吐出ノズル又は前記貯留部に対して着脱可能に装着されている＜１＞に記載の鼻洗浄器。
＜３＞前記傾斜面には、前記吐出ノズルにおける前記排液口側の部位に形成された第１傾斜面が含まれ、前記第１傾斜面は、前記排液口を介して前記カバー部の外部空間に臨んでいる＜１＞又は＜２＞に記載の鼻洗浄器。
＜４＞前記第１傾斜面の下端は、前記排液口の下縁よりも上側に配置されている＜３＞に記載の鼻洗浄器。
＜５＞前記傾斜面には、前記吐出ノズルにおいて当該吐出ノズルを基準として前記排液口側とは反対側の部位に形成された第２傾斜面が含まれる＜１＞から＜４＞のいずれか一項に記載の鼻洗浄器。
＜６＞前記吐出ノズルは、基端部と、前記基端部よりも上側に突出しているとともに先端に前記吐出口を有する突出部と、を有し、平面視において、前記第２傾斜面は、前記突出部の基端をＵ字状に取り囲んでいる＜５＞に記載の鼻洗浄器。
＜７＞前記カバー部の天面部は、上に凸の曲面形状に形成されている＜１＞から＜６＞のいずれか一項に記載の鼻洗浄器。
＜８＞前記貯留部は有底筒状であり、前記カバー部は、前記貯留部の底部に対して直立している側周面部と、天面部と、を有し、前記開口は、前記天面部と前記側周面部との交差部に配置されている＜１＞から＜７＞のいずれか一項に記載の鼻洗浄器
＜９＞前記排液口は、前記側周面部に形成されている＜８＞に記載の鼻洗浄器。
＜１０＞前記貯留部は有底筒状であり、前記吐出ノズルは前記貯留部の上端部から上方に向けて突出しており、前記吐出口は、前記貯留部の軸心に対して一方側にずれて配置されており、前記排液口は、前記貯留部の軸心に対して他方側にずれて配置されている＜１＞から＜９＞のいずれか一項に記載の鼻洗浄器。
＜１１＞前記吐出ノズルは前記一方側に傾斜している＜１０＞に記載の鼻洗浄器。
＜１２＞前記排液路の一部領域において、内部空間の平断面積が下方に向けて拡大している＜１＞から＜１１＞のいずれか一項に記載の鼻洗浄器。
＜１３＞洗浄液を貯留する貯留部に装着して用いられるカバー付きノズルであって、前記洗浄液を吐出する吐出口を先端に有する吐出ノズルと、前記吐出ノズルの外面の周囲を覆うカバー部と、を備え、前記カバー部は、開口と排液口とを有し、前記開口の内側に前記吐出ノズルの先端が配置されて、前記吐出ノズルの先端と前記開口の内周縁との間隙が排液流入口を構成しており、前記カバー部の内面と前記吐出ノズルの外面との間隙は、前記排液流入口を通じて流入する排液が前記排液口に向けて流下する排液路を構成しており、前記吐出ノズルの外面は、前記排液口に向けて下り傾斜している傾斜面を含んでいるカバー付きノズル。
【符号の説明】
【００６８】
１０  貯留部
１１  胴体部
１２  底部
１３  肩部
１４  口頸部
２０  吐出ノズル
２１  吐出口
２２  基端部
２３  装着部
２４  突出部
２５  先端
２６  チューブ保持スリーブ
２７  段差部
２８  位置決め用リブ
２９  流路
３０  カバー部
３１  側周面部
３２  天面部
３３  開口
３４  排液口
３５  フランジ部
３６  位置決め用凹部
４０  栓
４１  大径部
４２  摘まみ部
４３  嵌入部
５１  排液流入口
５２  排液路
６１  第１傾斜面（傾斜面）
６１ａ  上部傾斜面
６１ｂ  下部傾斜面
６１ｃ  下端
６２  第２傾斜面（傾斜面）
７１  排液回収袋
７２  固定テープ
７３  排液
８０  逆止弁
９０  送液チューブ
１００  鼻洗浄器
１５０  カバー付きノズル
１６０  洗浄液
２０１  鼻孔
２０２  鼻腔
ＡＸ  軸心
Ｄ１  吐出ノズルの先基端方向
【図１】
2017213280.tif 000003
【図２】
2017213280.tif 000004
【図３】
2017213280.tif 000005
【図４】
2017213280.tif 000006
【図５】
2017213280.tif 000007
【図６】
2017213280.tif 000008
【図７】
2017213280.tif 000009
【図８】
2017213280.tif 000010
【図９】
2017213280.tif 000011
【図１０】
2017213280.tif 000012